(57)【要約】【課題】  光学系全体の大きさを抑制しながら広角高倍でＦ値が明るく、且つ良好な光学性能を持つズームレンズおよびそれを有する撮像装置を提供すること。【解決手段】  ズームレンズは、物体側から像側へ順に配置された、正の屈折力の第１レンズ群、負の屈折力の第２レンズ群、正または負の屈折力の第３レンズ群、１つ以上のレンズ群を含む後群から構成され、変倍に際して前記第１レンズ群は移動せず、変倍に際して隣り合うレンズ群の間隔が変化し、前記第１レンズ群は３枚以上のレンズを含み、前記第２レンズ群は３枚以上のレンズを含み、広角端から望遠端までの変倍における前記第２レンズ群の移動量、広角端から望遠端までの変倍における前記第３レンズ群の移動量を適切に設定することを特徴とする。【選択図】  図１
2018025625.tif 000002
【特許請求の範囲】
【請求項１】
物体側から像側へ順に配置された、正の屈折力の第１レンズ群、負の屈折力の第２レンズ群、正または負の屈折力の第３レンズ群、１つ以上のレンズ群を含む後群から構成され、変倍に際して前記第１レンズ群は移動せず、変倍に際して隣り合うレンズ群の間隔が変化するズームレンズであって、
前記第１レンズ群は３枚以上のレンズを含み、前記第２レンズ群は３枚以上のレンズを含み、
広角端から望遠端までの変倍における前記第２レンズ群の移動量をｍ２、広角端から望遠端までの変倍における前記第３レンズ群の移動量をｍ３とし、広角端と比較して望遠端においてレンズ群が像側に位置する場合の移動量の符号を正とするとき、
０．３８＜｜ｍ３／ｍ２｜
なる条件式を満足することを特徴とするズームレンズ。
【請求項２】
広角端における前記ズームレンズの焦点距離をｆｗ、望遠端における前記ズームレンズの焦点距離をｆｔとするとき、
９．００＜ｆｔ／ｆｗ
なる条件式を満足することを特徴とする請求項１に記載のズームレンズ。
【請求項３】
前記第３レンズ群の焦点距離をｆ３とするとき、
０．４０＜｜ｍ３／ｆ３｜＜０．６５
なる条件式を満足することを特徴とする請求項１または２に記載のズームレンズ。
【請求項４】
望遠端における前記ズームレンズの焦点距離をｆｔとするとき、
０．１＜ｍ２／ｆｔ＜０．３
なる条件式を満足することを特徴とする請求項１乃至３のいずれか１項に記載のズームレンズ。
【請求項５】
前記第１レンズ群の光軸上の厚みをＤ１とするとき、
１．３＜ｍ２／Ｄ１＜３．０
なる条件式を満足することを特徴とする請求項１乃至４のいずれか１項に記載のズームレンズ。
【請求項６】
前記第３レンズ群は負レンズを含むことを特徴とする請求項１乃至５のいずれか１項に記載のズームレンズ。
【請求項７】
前記第１レンズ群の像側に隣接して配置されたレンズから数えて４番目に配置されたレンズより像側に開口絞りを有することを特徴とする請求項１乃至６のいずれか１項に記載のズームレンズ。
【請求項８】
前記第２レンズ群に含まれるレンズの中で最も物体側に配置されたレンズを除く各レンズのレンズ面のうち、２面以上のレンズ面は非球面形状であることを特徴とする請求項１乃至７のいずれか１項に記載のズームレンズ。
【請求項９】
請求項１乃至８のいずれか１項に記載のズームレンズと、該ズームレンズによって形成された像を受光する撮像素子を有することを特徴とする撮像装置。
【発明の詳細な説明】
【技術分野】
【０００１】
本発明は、ズームレンズおよびそれを有する撮像装置に関し、例えばデジタルカメラ、ビデオカメラ、ＴＶカメラ等の撮影系に好適なものである。
【背景技術】
【０００２】
近年、モニタの高精細化が進み、デジタルカメラ、ビデオカメラ、ＴＶカメラに搭載するズームレンズにも高画質化が求められている。その際、固体撮像素子は画素数を増やしても感度を落とさないために大型化が望まれているが、カメラ全体の大型化を抑制するためにズームレンズはより一層の小型化も求められている。
【０００３】
従来から、小型で変倍比を効率良く確保できるズームレンズとして、物体側より像側へ順に、正、負の屈折力を有するレンズ群を有し、第３レンズ群より像側に配されたレンズ群にて変倍に伴う像面移動を補正するズームレンズが知られている。
【０００４】
例えば、特許文献１では物体側より順に正、負、正、正の屈折力を有するレンズ群を配し、変倍時に第１レンズ群が固定で１０〜１４倍程度のズームレンズが開示されている。特許文献２では物体側より順に正、負、正、負、正の屈折力を有するレンズ群を配し、変倍時に第１レンズ群と第５レンズ群が固定で１０倍程度のズームレンズが開示されている。
【先行技術文献】
【特許文献】
【０００５】
【特許文献１】特開２０１２−８８６０３号公報
【特許文献２】特開２０１２−２４２６１７号公報
【発明の概要】
【発明が解決しようとする課題】
【０００６】
特許文献１は第２レンズ群と第３レンズ群を移動させているが、第３レンズ群の移動量が小さく、変倍に際する諸収差の変動を抑制するのに課題があった。
【０００７】
特許文献２は望遠端のＦ値がＦ７程度と暗く、更なる高倍化や大口径化を図ると望遠端における球面収差やコマ収差の補正が困難となる。
【０００８】
そこで、本発明は、光学系全体の大きさを抑制しながら広角高倍で開放Ｆ値が小さく（明るく）、且つ良好な光学性能を持つズームレンズおよびそれを有する撮像装置を提供する事を目的としている。
【課題を解決するための手段】
【０００９】
上記目的を達成するために、本発明のズームレンズは、物体側から像側へ順に配置された、正の屈折力の第１レンズ群、負の屈折力の第２レンズ群、正または負の屈折力の第３レンズ群、１つ以上のレンズ群を含む後群から構成され、変倍に際して前記第１レンズ群は移動せず、変倍に際して隣り合うレンズ群の間隔が変化するズームレンズであって、前記第１レンズ群は３枚以上のレンズを含み、前記第２レンズ群は３枚以上のレンズを含み、広角端から望遠端までの変倍における前記第２レンズ群の移動量をｍ２、広角端から望遠端までの変倍における前記第３レンズ群の移動量をｍ３とし、広角端と比較して望遠端においてレンズ群が像側に位置する場合の移動量の符号を正とするとき、
０．３８＜｜ｍ３／ｍ２｜
なる条件式を満足することを特徴とする。
【発明の効果】
【００１０】
本発明によれば、光学系全体の大きさを抑制しながら広角高倍で開放Ｆ値が小さく（明るく）、且つ良好な光学性能を持つズームレンズおよびそれを有する撮像装置を提供することができる。
【図面の簡単な説明】
【００１１】
【図１】数値実施例１の光学系のレンズ断面図である。
【図２】数値実施例１の広角端における収差図である。
【図３】数値実施例１の中間焦点距離における収差図である。
【図４】数値実施例１の望遠端における収差図である。
【図５】数値実施例２の光学系のレンズ断面図である。
【図６】数値実施例２の広角端における収差図である。
【図７】数値実施例２の中間焦点距離における収差図である。
【図８】数値実施例２の望遠端における収差図である。
【図９】数値実施例３の光学系のレンズ断面図である。
【図１０】数値実施例３の広角端における収差図である。
【図１１】数値実施例３の中間焦点距離における収差図である。
【図１２】数値実施例３の望遠端における収差図である。
【図１３】数値実施例４の光学系のレンズ断面図である。
【図１４】数値実施例４の広角端における収差図である。
【図１５】数値実施例４の中間焦点距離における収差図である。
【図１６】数値実施例４の望遠端における収差図である。
【図１７】本発明の撮像装置の実施形態を説明するための図である。
【発明を実施するための形態】
【００１２】
以下、添付の図面を参照しながら本発明のズームレンズを詳細に説明する。
本発明のズームレンズは、物体側から像側へ順に配置された、正の屈折力の第１レンズ群、負の屈折力の第２レンズ群、正または負の屈折力の第３レンズ群、１つ以上のレンズ群を含む後群から構成され、高倍ズームに適した構成としている。また、変倍に際して第１レンズ群は移動せず、変倍に際して隣り合うレンズ群の間隔が変化し、第３レンズ群以降に変倍作用を持たせたり、変倍に際する像面の変動を補正させたりしている。
【００１３】
第１レンズ群は３枚以上のレンズで構成し、主に望遠側の球面収差と軸上色収差の補正を行なっている。第２レンズ群は３枚以上のレンズで構成し、変倍に際する像面湾曲や倍率色収差の変動を抑制している。第２レンズ群は物体側から２枚目以降のレンズに非球面を２面以上有する。すなわち、第２レンズ群に含まれるレンズの中で最も物体側に配置されたレンズを除く各レンズのレンズ面のうち、２面以上のレンズ面は非球面形状である。この構成により、中間焦点距離から望遠端でのコマ収差の変動を補正している。
【００１４】
更に、以下の条件式を満足している。
０．３８＜｜ｍ２／ｍ３｜  …（１）
９．００＜ｆｔ／ｆｗ  …（２）
但し、ｆｔは望遠端の焦点距離、ｆｗは広角端の焦点距離、ｍ２は広角端から望遠端までの変倍における第２レンズ群の移動量、ｍ３は広角端から望遠端までの変倍における第３レンズ群の移動量であり、ｍ２とｍ３は広角端と比較して望遠端においてレンズ群が像側に位置する場合に正の符号とする。
【００１５】
条件式（１）は第２レンズ群と第３レンズ群の広角端から望遠端までの移動量の比を絶対値で規定した式である。条件式（１）が満たされない場合、第２レンズ群の移動量が小さく、所望の変倍比を確保するためには第２レンズ群の屈折力が強くなり、変倍に際する像面湾曲の変動や望遠端での球面収差の補正が困難となる。
【００１６】
条件式（２）は変倍比を規定した式である。条件式（２）が満たされない場合、本発明と同様の効果を得るために必要となる手段が増えるため、本発明を適用する範囲として好ましくない。
【００１７】
以上で本発明の目的は達成されるが、本発明は、以下の条件式を満足するのが望ましい。
０．４０＜｜ｍ３／ｆ３｜＜０．６５  …（３）
但し、ｆ３は第３レンズ群の焦点距離とする。
【００１８】
条件式（３）は第３レンズ群の広角端から望遠端までの移動量と第３レンズ群の焦点距離の比を絶対値で規定した式である。条件式（３）の上限条件が満たされない場合、屈折力の強い第３レンズ群を大きく移動させることが必要となるために変倍に際して像面湾曲やコマ収差の変動の抑制が困難となる。逆に、条件式（３）の下限条件が満たされない場合、第３レンズ群の変倍への寄与が小さくなり、高変倍比を達成し難くなり好ましくない。
【００１９】
また、本発明は、以下の条件式を満足するのが望ましい。
０．１＜ｍ２／ｆｔ＜０．３  …（４）
【００２０】
条件式（４）は第２レンズ群の広角端から望遠端までの移動量と望遠端の焦点距離を規定した式である。条件式（４）の上限条件が満たされない場合、レンズ全長が長くなり好ましくない。逆に、条件式（４）の下限条件が満たされない場合、所望の変倍比を確保するために必要な第２レンズ群の屈折力が強くなり、変倍に際する像面湾曲の変動や望遠端での球面収差の補正が困難となる。
【００２１】
また、本発明は、以下の条件式を満足するのが望ましい。
１．３＜ｍ２／Ｄ１＜３．０  …（５）
但し、Ｄ１は第１レンズ群の光軸上の厚みとする。
【００２２】
条件式（５）は第２レンズ群の広角端から望遠端までの移動量と第１レンズ群の光軸上の厚みの比を規定した式である。条件式（５）の上限条件が満たされない場合、第２レンズ群の移動量が大きいために中間焦点距離の入射瞳が長くなり、前玉径の大型化に繋がり好ましくない。逆に、条件式（５）の下限条件が満たされない場合、所望の変倍比を確保するために必要な第２レンズ群の屈折力が強くなり、変倍に際する像面湾曲の変動や望遠端での球面収差の補正が困難となる。もしくは、第１レンズ群の構成枚数が多くする事で、本発明の効果と同様に、望遠端の球面収差やコマ収差の補正が可能となり、発明の趣旨に沿わない。
【００２３】
また、本発明は、第３レンズ群は少なくとも１枚の負レンズを含むことが望ましい。
第３レンズ群が負の屈折力を有するレンズ群の場合は、少なくとも１枚の負レンズを含むことは自明である。第３レンズ群が正の屈折力を有するレンズ群の場合、変倍に際する軸上色収差の変動を抑制するために少なくとも１枚の負レンズを含むことが好ましい。
【００２４】
また、本発明は、ズームレンズは第１レンズ群の像側に隣接して配置されたレンズから数えて４番目に配置されたレンズより像側に開口絞りを有することが望ましい。
絞りより物体側に配置されたレンズは、変倍に際する像面湾曲や倍率色収差の変動を抑制するために、第１レンズ群の他に少なくとも４枚のレンズを有することが望ましい。
【００２５】
なお、条件式（１）〜（５）の数値範囲は以下の如く特定するのが更に望ましい。
０．３８＜｜ｍ３／ｍ２｜＜１．００  …（１ａ）
９．４０＜ｆｔ／ｆｗ＜３０．００  …（２ａ）
０．４３＜｜ｍ３／ｆ３｜＜０．６２  …（３ａ）
０．１６＜ｍ２／ｆｔ＜０．２８  …（４ａ）
１．４＜ｍ２／Ｄ１＜２．７  …（５ａ）
【００２６】
以下に、本発明の好ましい実施の形態を、添付の図面に基づいて詳細に説明する。
図１、５、９、１３は、それぞれ後述する数値実施例１〜４のレンズ断面図、図２〜４、６〜８、１０〜１２、１４〜１６はそれぞれ各数値実施例の収差図である。図２〜４、６〜８、１０〜１２、１４〜１６において、図２、６、１０、１４は広角端における収差図、図３、７、１１、１５は中間焦点距離における収差図、図４、８、１２、１６は望遠端における収差図である。収差図において、ｄ、ｇはｄ線およびｇ線、Ｍ、Ｓはメリジオナル像面、サジタル像面を示し、倍率色収差はｇ線によって表している。
【００２７】
図１、５、９、１３のレンズ断面図において、Ｌ１〜Ｌ５はそれぞれ第１〜５レンズ群、ＳＰは絞り、ＰはＣＣＤのフェースプレートやローパスフィルター等のガラスブロック、Ｉは像面である。本実施形態においては、広角端から望遠端への変倍に際して、図１、５、９、１３の矢印のように各群を移動させている。実線と点線の矢印は、それぞれ無限遠物体と近距離物体にフォーカスしている時の変倍に伴う像面変動を補正するための移動軌跡である。
【００２８】
以下に本発明の数値実施例を記載する。
数値実施例において、Ｒｉは物体側より像側へ順に、第ｉ番目の面の曲率半径、Ｄｉは第ｉ番目の面と第ｉ＋１番目の面の間隔（レンズ厚あるいは空気間隔）、Ｎｉとνｉはそれぞれ第ｉ番目のレンズの材質の屈折率とアッベ数である。なお、アッベ数νは、フラウンフォーファ線のｄ線（５８７．６ｎｍ）、Ｆ線（４８６．１ｎｍ）、Ｃ線（６５６．３ｎｍ）に対する屈折率をそれぞれＮｄ、ＮＦ、ＮＣとしたとき、
ν＝（Ｎｄ−１）／（ＮＦ−ＮＣ）
で表される。非球面形状は、光軸方向にＸ軸、光軸と垂直方向ｈ軸、光の進行方向を正とし、Ｒを近軸曲率半径、各非球面係数をｋ、Ａ３、Ａ４、Ａ５、Ａ６、Ａ７、Ａ８、Ａ９、Ａ１０、Ａ１１としたとき、
【数１】
2018025625.tif 000003
なる式で表している。また、例えば「e−Z」の表示は「×10−Z」を意味する。
半画角は光線追跡で求めた値である。ＢＦはバックフォーカスである。
【００２９】
（数値実施例１）
単位 mm
面データ
面番号i      ri       di     ndi       νdi
1        205.771    2.43   1.88202    37.2           
2         76.326    8.50   1.49700    81.5           
3       -554.860    0.17                             
4         83.963    4.95   1.49700    81.5           
5        471.683    0.17                             
6         60.944    6.40   1.49700    81.5           
7        338.896  (可変)                             
8        779.821    1.29   1.81600    46.6           
9         20.025    6.00                             
10       -409.205    1.01   1.75520    27.5           
11         51.248    4.19                             
12*       -44.288    1.38   1.76182    26.5           
13*       303.515    2.19                             
14*        80.056    3.72   1.95906    17.5           
15*       -81.660  (可変)                             
16(絞り)    ∞     (可変)                             
17*        22.030    2.71   1.71300    53.9           
18         89.912   12.28                             
19        995.895    0.68   1.80100    35.0           
20         19.475    2.23                             
21*        30.346    3.80   1.43875    94.9           
22        -44.887  (可変)                             
23         36.031    6.83   1.55332    71.7           
24        -31.566    0.95   1.80000    29.8           
25        -60.832  (可変)                             
26          ∞       5.41   1.51633    64.1           
27          ∞       1.00                             
像面        ∞   
非球面データ
第12面
K = 5.23415e+000  A 4=-3.11189e-007  A 6= 1.59319e-009  A 8= 2.96297e-011  
第13面
K = 2.18962e+002  A 4=-8.66971e-006  A 6=-3.38267e-008  A 8= 1.92247e-011  
第14面
K = 1.62820e+001  A 4=-1.32117e-006  A 6=-9.87946e-009  A 8=-2.47899e-012  
第15面
K =-1.70303e+000  A 4= 1.62089e-006  A 6= 1.49766e-008  A 8=-5.46582e-012  
第17面
K =-2.51602e-001  A 4=-2.46794e-006  A 6= 8.49427e-010  A 8=-5.03456e-012  
第21面
K = 1.49921e-001  A 4= 3.83415e-007  A 6= 1.35245e-008  A 8= 8.58053e-011  
各種データ
ズーム比     19.50 
広角     中間     望遠
焦点距離      10.60    72.07   206.68  
Fナンバー      3.61     3.61     3.61  
半画角        36.10     5.85     2.03 
像高           7.41     7.41     7.41  
レンズ全長   198.01   198.01   198.01  
BF            30.92    37.81    16.95  
d 7            1.07    44.12    54.88  
d15           58.30    15.25     4.48  
d16           33.67     9.17     1.40  
d22            2.17    19.78    48.41  
d25           26.35    33.24    12.38  
ズームレンズ群データ
群  始面    焦点距離  
1    1      85.73  
2    8     -21.38  
3   17      69.13  
4   23      49.32  
【００３０】
（数値実施例２）
単位 mm
面データ
面番号i      ri       di     ndi       νdi
1        178.057    1.96   1.83400    37.2           
2         60.001    7.86   1.43875    94.9           
3       -272.136    0.17                             
4         57.855    5.83   1.49700    81.5           
5      -3611.688    0.17                             
6         57.398    3.43   1.53775    74.7           
7        141.092  (可変)                             
8      -2080.933    0.81   1.88300    40.8           
9         13.493    5.50                             
10*       -23.944    0.67   1.78800    47.4           
11*        57.657    0.17                             
12         43.172    2.83   1.92286    18.9           
13        -45.354  (可変)                             
14        -28.939    0.60   1.78800    47.4           
15        -56.254  (可変)                             
16(絞り)    ∞     (可変)                             
17*        13.007    3.00   1.58313    59.4           
18*      -257.031    2.89                             
19         35.108    0.60   1.91082    35.3           
20         12.563    0.46                             
21         16.699    2.44   1.49700    81.5           
22        -62.916    0.17                             
23         19.387    0.60   1.88300    40.8           
24         13.631    2.78   1.43875    94.9           
25        -45.218  (可変)                             
26        158.534    1.33   2.00069    25.5           
27        -20.449    0.60   1.88300    40.8           
28         13.888  (可変)                             
29        -49.729    2.35   1.53775    74.7           
30        -12.812    0.60   1.95375    32.3           
31        -42.155    0.58                             
32         43.037    2.61   1.63980    34.5           
33        -29.595  (可変)                             
34          ∞       2.00   1.51633    64.1           
35          ∞       1.00                             
像面        ∞   
非球面データ
第10面
K =-1.12535e+000  A 4=-2.56278e-005  A 6= 5.48500e-008  A 8=-4.27510e-010  
第11面
K =-6.36388e+000  A 4=-2.46799e-005  A 6= 1.11088e-007  A 8=-2.45457e-010  
第17面
K =-2.48049e-001  A 4=-1.31894e-005  A 6= 2.64986e-009  A 8= 8.62890e-010  
第18面
K =-8.54422e+002  A 4= 2.95116e-005  A 6= 1.13204e-008  A 8= 4.58515e-010  
各種データ
ズーム比     19.50 
広角     中間     望遠
焦点距離      11.39    61.47   222.04  
Fナンバー      4.12     4.63     4.84  
半画角        35.60     6.65     1.86 
像高           7.41     7.41     7.41  
レンズ全長   139.25   139.25   139.25  
BF            14.35    14.07    13.37  
d 7            1.25    35.33    49.94  
d13            6.09     5.37     1.23  
d15           45.09    11.72     1.26  
d16            1.24     1.24     1.24  
d25            2.06     9.89     4.41  
d28           18.16    10.61    16.79  
d33           12.03    11.75    11.06  
ズームレンズ群データ
群  始面    焦点距離  
1    1      71.09  
2    8     -14.83  
3   14     -76.37  
4   17      18.09  
5   26     -19.60  
6   29      56.59  
【００３１】
（数値実施例３）
単位 mm
面データ
面番号i      ri       di     ndi       νdi
1        190.498    2.01   1.83400    37.2           
2         48.074    9.76   1.49700    81.5           
3       -275.908    0.17                             
4         49.204    6.30   1.53775    74.7           
5        929.826    0.17                             
6         43.680    4.40   1.55332    71.7           
7        127.333  (可変)                             
8        232.205    0.82   2.00100    29.1           
9         12.212    5.97                             
10*       -23.519    0.67   1.75501    51.2           
11*        43.830    0.60                             
12         37.196    3.52   1.94595    18.0           
13        -32.398  (可変)                             
14        -20.077    0.60   1.77250    49.6           
15       -278.037  (可変)                             
16(絞り)    ∞     (可変)                             
17*        12.667    3.45   1.58313    59.4           
18*      -366.921    0.81                             
19         18.136    0.83   1.95375    32.3           
20         11.536    0.43                             
21         13.559    3.81   1.43875    94.9           
22        -34.811    0.17                             
23         35.420    0.63   1.88300    40.8           
24          9.937    3.61   1.51742    52.4           
25        -97.438  (可変)                             
26         45.205    1.20   1.92286    18.9           
27        -51.299    0.60   1.95375    32.3           
28         15.586  (可変)                             
29        179.006    2.98   1.51742    52.4           
30        -11.229    0.60   1.85150    40.8           
31         77.139    0.17                             
32         30.328    3.29   1.53172    48.8           
33        -17.932  (可変)                             
34          ∞       2.00   1.51633    64.1           
35          ∞       1.00                             
像面        ∞   
非球面データ
第10面
K =-1.42680e+000  A 4=-3.03718e-005  A 6= 1.69961e-008  A 8=-3.62871e-010  
第11面
K = 4.43821e+000  A 4=-4.70125e-005  A 6= 1.11725e-007  A 8=-2.43024e-010  
第17面
K =-6.79097e-001  A 4= 7.72525e-006  A 6= 6.08844e-008  A 8= 4.12175e-010  
第18面
K =-7.48650e+002  A 4= 4.91668e-005  A 6=-5.77852e-008  A 8=-1.55308e-011  
各種データ
ズーム比     19.50 
広角     中間     望遠
焦点距離      10.78    53.60   210.20  
Fナンバー      4.12     4.63     4.84  
半画角        35.6      7.62     1.96 
像高           7.41     7.41     7.41  
レンズ全長   139.33   139.33   139.33  
BF            12.91    12.91    12.91  
d 7            0.93    25.46    35.97  
d13            9.31     9.29     8.57  
d15           36.57    12.07     2.27  
d16            1.20     1.20     1.20  
d25            1.39    15.45    13.21  
d28           19.47     5.41     7.65  
d33           10.59    10.59    10.59  
ズームレンズ群データ
群  始面    焦点距離  
1    1      55.38  
2    8     -17.45  
3   14     -28.04  
4   17      18.06  
5   26     -24.86  
6   29      89.78  
【００３２】
（数値実施例４）
単位 mm
面データ
面番号i      ri       di     ndi       νdi
1        127.848    1.60   1.91650    31.6           
2         44.188    6.28   1.43875    94.9           
3       -398.741    0.17                             
4         54.825    3.29   1.43875    94.9           
5        225.850    0.17                             
6         46.091    3.91   1.76385    48.5           
7        339.544  (可変)                             
8       -440.844    0.82   1.83481    42.7           
9         11.543    4.17                             
10*      1425.898    0.62   1.58313    59.5           
11*        41.873    3.41                             
12        -14.168    0.62   1.43700    95.1           
13       -165.224    0.17                             
14        104.120    1.82   1.92286    18.9           
15        -56.837  (可変)                             
16(絞り)    ∞     (可変)                             
17*        16.025    4.18   1.58313    59.4           
18*       -93.303    3.01                             
19         91.910    0.61   1.83400    37.2           
20         17.277    1.16                             
21         35.972    2.60   1.43700    95.1           
22        -42.626    0.50                             
23         20.001    0.60   1.95375    32.3           
24         13.670    3.94   1.53775    74.7           
25        -69.764  (可変)                             
26        -56.658    1.19   2.00069    25.5           
27        -22.673    0.83   1.69680    55.5           
28         21.417  (可変)                             
29        179.722    4.21   1.49700    81.5           
30        -18.637    0.76   2.00069    25.5           
31        -36.055    0.17                             
32         28.209    4.39   1.53775    74.7           
33        -51.301  (可変)                             
34          ∞       2.00   1.51633    64.1           
35          ∞       1.00                             
像面        ∞   
非球面データ
第10面
K = 2.54189e+004  A 4= 8.39651e-005  A 6=-2.31743e-006  A 8= 1.32338e-008  
第11面
K = 1.08019e+001  A 4= 2.59711e-005  A 6=-2.56179e-006  A 8= 1.40038e-008  
第17面
K =-2.67657e-001  A 4=-1.11197e-005  A 6=-1.56889e-008  A 8=-4.86597e-011  
第18面
K =-5.34856e+001  A 4= 7.30667e-006  A 6=-9.86003e-009  A 8= 1.16698e-012  
各種データ
ズーム比     14.55 
広角     中間     望遠
焦点距離       8.76    51.43   127.38  
Fナンバー      2.88     3.74     4.63  
半画角        40.4      8.02     3.26 
像高           6.45     7.41     7.41  
レンズ全長   139.21   139.21   139.21  
BF            14.02    14.02    14.02  
d 7            1.00    24.38    34.39  
d15           35.19    11.82     1.80  
d16           13.55     0.70     0.70  
d25            2.34    15.01    14.68  
d28           17.91    18.09    18.42  
d33           11.70    11.70    11.70  
ズームレンズ群データ
群  始面    焦点距離  
1    1      55.39  
2    8     -10.72  
3   17      21.92  
4   26     -26.98  
5   29      30.65  
前述の各条件式と数値実施例における諸数値との関係を表１に示す。
【００３３】
【表１】
2018025625.tif 000004
【００３４】
以上説明した様に、各実施例によれば、光学系全体の大きさを抑制しながらF値が小さく（明るく）、且つ良好な光学性能を持つズームレンズを実現する事ができる。
【００３５】
次に本発明のズームレンズを撮影光学系として用いたビデオカメラの実施形態について図１７を用いて説明する。
【００３６】
図１７において、１０はビデオカメラ本体、１１は本発明のズームレンズによって構成された撮影光学系、１２は撮影光学系１１によって被写体像を受光するＣＣＤ等の撮像素子、１３は撮像素子１２が受光した被写体像を記録する記録手段、１４は不図示の表示素子に表示された被写体像を観察するためのファインダーである。上記表示素子は液晶パネル等によって構成され、撮像素子１２上に形成された被写体像が表示される。
【００３７】
この様に本発明の撮像装置をビデオカメラ等の光学機器に適用する事により、小型で高い光学性能を有する光学機器が実現できる。
【００３８】
なお、撮像素子にＣＣＤ等の電子撮像素子を用いれば、電子的に収差補正をする事で出力画像を更に高画質化する事ができる。
【００３９】
以上、本発明の好ましい実施形態について説明したが、本発明はこれらの実施形態に限定されず、その要旨の範囲内で種々の変形および変更が可能である。
【符号の説明】
【００４０】
Ｌ１  第１レンズ群
Ｌ２  第２レンズ群
Ｌ３  第３レンズ群
Ｌ４  第４レンズ群
Ｌ５  第５レンズ群
Ｌ６  第６レンズ群
【図１】
2018025625.tif 000005
【図２】
2018025625.tif 000006
【図３】
2018025625.tif 000007
【図４】
2018025625.tif 000008
【図５】
2018025625.tif 000009
【図６】
2018025625.tif 000010
【図７】
2018025625.tif 000011
【図８】
2018025625.tif 000012
【図９】
2018025625.tif 000013
【図１０】
2018025625.tif 000014
【図１１】
2018025625.tif 000015
【図１２】
2018025625.tif 000016
【図１３】
2018025625.tif 000017
【図１４】
2018025625.tif 000018
【図１５】
2018025625.tif 000019
【図１６】
2018025625.tif 000020
【図１７】
2018025625.tif 000021